(57)【要約】【課題】  仕切板の側端縁を天板上に容易に取り付けることができる仕切板取付装置を提供すること。【解決手段】  天板２の上面に立設する仕切板３０の側端縁を取付けるための仕切板取付装置であって、天板２の上面に支持部材３４を立設し、この支持部材３４に仕切板３０の側端縁が嵌合する上下方向を向く溝部３５を設け、この溝部３５内の上下方向の略中間部に、溝部３５の開口方向に向けて突設する凸部３７を突設し、かつ、仕切板３０の側端縁下部に、支持部材３４の凸部３７が嵌合する凹部３６を設ける。【選択図】  図６
2005131200.tif 000002
【特許請求の範囲】
【請求項１】
天板の上面に立設する仕切板の側端縁を取付けるための仕切板取付装置であって、前記天板の上面に支持部材を立設し、該支持部材に前記仕切板の側端縁が嵌合する上下方向を向く溝部を設け、該溝部内の上下方向の略中間部に、前記溝部の開口方向に向けて突設する凸部を突設し、かつ、前記仕切板の側端縁下部に、前記支持部材の凸部が嵌合する凹部を設けたことを特徴とする机における仕切板取付装置。
【請求項２】
前記仕切板は、左右方向を向くメイン仕切板と、該メイン仕切板に対して直交状に交差するように立設される前後方向を向くサイド仕切板と、からなり、前記サイド仕切板における前記メイン仕切板と反対側の側端縁下部に前記凹部を設けた請求項１に記載の机における仕切板取付装置。
【請求項３】
前記天板には挿通孔が設けられているとともに、前記支持部材の下面には、前記天板の下面側から前記挿通孔に挿通されるネジが螺入するネジ孔が形成されている請求項１または２に記載の机における仕切板取付装置。
【請求項４】
前記支持部材は、横断面略円形状に形成されている請求項１ないし３のいずれかに記載の机における仕切板取付装置。
【請求項５】
前記仕切板は、透光性パネルにより形成されている請求項１ないし４のいずれかに記載の机における仕切板取付装置。
【発明の詳細な説明】
【技術分野】
【０００１】
本発明は、図書館等において使用される机の天板上に、目隠し用の仕切板を立設するための仕切板取付装置に関する。
【背景技術】
【０００２】
従来、オフィスや図書館等において使用される机の中には、天板上に、左右方向を向く後部仕切板と、前後方向を向サイド仕切板とを、互いに直交状に交差させて立設し、サイド仕切板の下端部を、机の脚体の側面の凹部とサイド仕切板の側面の凹部とに、天板の挿通孔より挿通した取付金具の上下の端部を挿入してネジ止めすることにより、天板上に固定しているものがある（例えば、特許文献１参照）。
【０００３】
【特許文献１】特開平１１−２６６９３６号公報（第３頁、第１図）
【発明の開示】
【発明が解決しようとする課題】
【０００４】
しかしながら、特許文献１にあっては、サイド仕切板と脚体とを取付金具を介してネジ止めすることによりサイド仕切板を天板上に取り付けるようになっており、サイド仕切板と脚体とにそれぞれネジを止着する必要があるため、サイド仕切板の取付作業が煩雑になるとともに、サイド仕切板にネジ孔等を加工する必要があったため、サイド仕切板の構造が複雑化し、コストが嵩むといった問題を有していた。
【０００５】
本発明は、このような問題点に着目してなされたもので、仕切板の側端縁を天板上に容易に取り付けることができる仕切板取付装置を提供することを目的とする。
【課題を解決するための手段】
【０００６】
上記課題を解決するために、本発明の請求項１に記載の机における仕切板取付装置は、天板の上面に立設する仕切板の側端縁を取付けるための仕切板取付装置であって、前記天板の上面に支持部材を立設し、該支持部材に前記仕切板の側端縁が嵌合する上下方向を向く溝部を設け、該溝部内の上下方向の略中間部に、前記溝部の開口方向に向けて突設する凸部を突設し、かつ、前記仕切板の側端縁下部に、前記支持部材の凸部が嵌合する凹部を設けたことを特徴としている。
この特徴によれば、仕切板の側端縁下部が天板上に立設した支持部材の溝部に嵌合されることで、仕切板の側端縁の水平方向の移動が規制されるとともに、この溝部内に嵌合される仕切板の側端縁下部に設けられた凹部が前記溝部内に設けられた凸部に嵌合されることで、仕切板の側端縁の上方への移動が規制されるため、仕切板の側端縁を支持部材の溝部に嵌合するだけの簡単な作業で、天板の上面にがたつきなく取り付けて立設することができる。
【０００７】
本発明の請求項２に記載の机における仕切板取付装置は、請求項１に記載の机における仕切板取付装置であって、前記仕切板は、左右方向を向くメイン仕切板と、該メイン仕切板に対して直交状に交差するように立設される前後方向を向くサイド仕切板と、からなり、前記サイド仕切板における前記メイン仕切板と反対側の側端縁下部に前記凹部を設けたことを特徴としている。
この特徴によれば、左右方向を向くメイン仕切板と、前後方向を向くサイド仕切板とが、互いに交差されて立設されていることで、メイン仕切板とサイド仕切板が、左右方向や前後方向にぐらつく恐れがなくなり、安定して立設される。
【０００８】
本発明の請求項３に記載の机における仕切板取付装置は、請求項１または２に記載の机における仕切板取付装置であって、前記天板には挿通孔が設けられているとともに、前記支持部材の下面には、前記天板の下面側から前記挿通孔に挿通されるネジが螺入するネジ孔が形成されていることを特徴としている。
この特徴によれば、支持部材の溝部内に仕切板の側端縁を嵌合した状態で、天板の上面に支持部材を簡単に固定させることができるばかりか、ネジが天板の上面に露呈することがないので、机の見栄えが向上する。
【０００９】
本発明の請求項４に記載の机における仕切板取付装置は、請求項１ないし３のいずれかに記載の机における仕切板取付装置であって、前記支持部材は、横断面略円形状に形成されていることを特徴としている。
この特徴によれば、支持部材が角のない丸みを帯びた形状となるので、机の使用者が天板の上面で作業する際に、天板上に置かれる書類等が支持部材に引っ掛るようなことがなくなる。
【００１０】
本発明の請求項５に記載の机における仕切板取付装置は、請求項１ないし４のいずれかに記載の机における仕切板取付装置であって、前記仕切板は、透光性パネルにより形成されていることを特徴としている。
この特徴によれば、透光性仕切板を透過した光により天板面が明るくなるので、仕切板を立設したことによる圧迫感や暗さが解消される。
【発明を実施するための最良の形態】
【００１１】
以下、本発明の実施形態を図面に基づいて説明すると、先ず図１は、本発明を適用した机（テーブルも含む）の斜視図であり、図２は、机の分解斜視図であり、図３は、ベース部材取付部の縦断側面図であり、図４は、図３におけるIV−IV線に沿う横断平面図であり、図５は、図１におけるＶ−Ｖ線の縦断側面図であり、図６は、保持具取付部の縦断側面図であり、図７は、図６のVII−VII線に沿う平面図であり、図８は、図６のVIII−VIII線に沿う正面図である。
【００１２】
机１の天板２は、左右方向に長い長方形をなし、その下面の四隅部に取り付けられた４本の脚柱３により支持されている。天板２の左右両側端部における前後方向（以下、図１の斜め右手前を前として説明する）の中央部上面には、アルミニウム合金製のベース部材４を介して１対の支柱５が立設されている。
【００１３】
ベース部材４は、図３及び図４にも示すように、平面形が支柱５の断面形より大きな前後方向に長い長円形をなし、上面中央は平坦面となっている。このベース部材４の前後の下面には、下端が開口する雌ネジ孔６を有する下向突部７が連設され、両下向突部７を天板２に穿設された通孔８に嵌合し、その下方よりワッシャ９を介して挿入したネジ１０を、下向突部７の雌ネジ孔６に螺合することにより、ベース部材４は天板２の上面に固定されている。
【００１４】
支柱５は、外側面の中央部に上下方向を向く凹条溝１１を有するほぼＣ字状断面をなし、アルミニウム合金等により形成されている。支柱５の側面の開口部には、合成樹脂製のカバー１２が着脱可能に嵌着されている。
【００１５】
支柱５は、ベース部材４を天板２に取り付ける前において、ベース部材４の中央の上面に、それに穿設した前後２個の通孔１３の下方より挿入したネジ１４を支柱５の下端部の雌ネジ孔１５に螺合することにより、固着されている。また、支柱５の上端は、キャップ部材１６を止着することにより閉塞されている（図２参照）。
【００１６】
ベース部材４の中央とその下方の天板２には、配線孔１７、１８が貫設され、支柱５の凹条溝１１内に収容して配線された、後述する照明器具４０の電源コード４３等を下方に挿通し得るようになっている。左右の支柱５の上端部間には、横連結杆１９が、スペーサ２０を介して、支柱５の上端部の凹条溝１１内より挿入した上下２本のネジ２１により固定されている。
【００１７】
この横連結杆１９は、アルミニウム合金等の押し出し成形品よりなっており、図５に示すように、横連結杆１９は、側面視ほぼ中空の矩形断面をなし、その前後両面の上下部には、互いに対向する倒立Ｌ字状の係止片２２とＬ字状の係止片２３とが、前後対称的の長手方向に全長にわたって形成され、また下面の中央には、下方が開口する上向きの嵌合溝２４が、長手方向に全長にわたって形成されている。なお、横連結杆１９の前後両面には、その係止片２２、２３を利用して、照明器具４０等を取り付けることができる。
【００１８】
横連結杆１９の嵌合溝２４と対向する天板２の中央部上面には、左右方向を向く凹溝２５が、上記配線孔１８まで形成され、この凹溝２５には、左右方向を向く側面視凹状の保持溝２６を有するとともに、その上端の開口縁より前後反対方向に延出する当接片２７を有する保持部材２８が、両当接片２７の下面を天板２の上面に当接させて嵌着されている（図５参照）。保持部材２８の左右寸法は、左右のベース部材４の下端間の離間寸法とほぼ等しく、また保持溝２６と上記嵌合溝２４の前後寸法は等幅とされ、かつ上下に垂直に対向している。
【００１９】
横連結杆１９の嵌合溝２４と保持部材２８の保持溝２６には、透明又は半透明の透光性を有するアクリル等の材質により形成されているメインパネル２９の上下の端部が嵌合されており、このメインパネル２９は、左右の側端面が支柱５の内側面と当接又は近接するように設けられている。
【００２０】
図２を用いて詳述すると、天板２の左右両端部と中間部には、天板２の上面を左右方向に仕切る、複数のサイドパネル３０が立設されており、このサイドパネル３０は、メインパネル２９と同材質の透光性を有するアクリル等の材質により形成されている。メインパネル２９の左右方向の中間部には、上端から中央部に至るスリット状の凹溝３１が下向きに形成され、各サイドパネル３０の前後方向の中央部には、下端から中央部に至るスリット状の凹溝３２が上向きに形成されている。
【００２１】
横連結杆１９を支柱５に取り付ける前において、メインパネル２９の凹溝３１に、サイドパネル３０の凹溝３２を上方より嵌合することにより、サイドパネル３０は、メインパネル２９の中間部に互いに直交状に交差して連結される。
【００２２】
なお、連結後においてサイドパネル３０の上端は、図５に示すように、横連結杆１９の取付時に、横連結杆１９の下面と当接しないように、メインパネル２９の上端より若干下方に位置するようになっている。
【００２３】
メインパネル２９の側端面の上半部には、切欠凹部３３が形成され、この切欠凹部３３と支柱５の内側面との対向面間に上記と同様の下向きの凹溝（図示略）を形成し、この凹溝にサイドパネル３０の凹溝３２を上方より嵌合することにより、メインパネル２９の側端にサイドパネル３０が直交状に連結される（図２参照）。メインパネル２９とサイドパネル３０とが、直交状に連結されていることで、メインパネル２９とサイドパネル３０が、左右方向や前後方向にぐらつく恐れがなくなり、安定して立設されるようになっている。
【００２４】
各サイドパネル３０の前後両側端縁の下部は、天板２の上面に固定された合成樹脂製の支持部材としての保持具３４により挟持されるようになっている。この保持具３４は、横断面略円形状をなす円筒形状に形成されているとともに、図７に示されるように、保持具３４の下面には、上下方向を向く雌ネジ孔３８が形成されている。
【００２５】
この保持具３４におけるサイドパネル３０の前後の側端縁それぞれと対向する面には、サイドパネル３０の側端縁（前端縁または後端縁）が嵌合可能な平面視内向コ字状の溝部としての保持溝３５が、上下方向に向けて形成されており、この保持溝３５の内面におけるサイドパネル３０の側端縁との対向面の上下方向の中間部には、保持溝３５の開口方向に向けて突出する凸部３７が形成されている。
【００２６】
図８に示すように、保持具３４に形成された保持溝３５の左右方向の幅は、サイドパネル３０の厚みとほぼ同じ幅となるように形成されており、サイドパネル３０の側端縁を左右方向から挟み込むように支持できるようになっている。
【００２７】
一方、図６に示すように、サイドパネル３０の前後の両側端縁の下部には凹部３６が形成されており、このサイドパネル３０の凹部３６は、前述した保持具３４の保持溝３５に形成された凸部３７に嵌合できるようになっている。そして天板２には、保持具３４を天板２に固着させるためのネジ３９が挿通される挿通孔４１が形成されている。
【００２８】
サイドパネル３０を天板２上に固定させる際には、先ずサイドパネル３０の前後の両側端縁下部に形成された凹部３６に保持具３４の保持溝３５内に形成された凸部３７が嵌合するように、保持溝３５内にサイドパネル３０の前後の両側端縁下部を嵌合させる。次に保持具３４を、保持具３４の下面に形成した雌ネジ孔３８に、天板２に形成された挿通孔４１の下方、すなわち、天板２の下面側から挿通孔４１に挿通されたネジ３９を螺合して固定することにより、サイドパネル３０の前後の両側端縁下部を天板２上に取り付けることができる。
【００２９】
以上説明したように、本発明の実施例としての机における仕切板（パネル）取付装置は、サイドパネル３０の凹部３６が、保持具３４の保持溝３５に形成された凸部３７に嵌合されるとともに、保持具３４の保持溝３５内にサイドパネル３０の前後の両側端縁下部が嵌合されることで保持溝３５内に支持されるため、サイドパネル３０に対してネジ等を螺入したりすることなく、保持具３４の保持溝３５に嵌合するだけの簡単な作業で、水平方向及び上下方向にがたつくことなく天板２上に取付けることができる。特に本実施例におけるサイドパネル３０は透光性を有するアクリルパネルからなるため、サイドパネル３０にネジ等を螺入するためにサイドパネル３０にネジ孔加工等を施す必要がないため、サイドパネル３０の構造の複雑化を回避できる。
【００３０】
また、保持具３４を天板２に固定させるためのネジ３９が、天板２の挿通孔４１の下方より挿通され、保持具３４の下面の雌ネジ孔３８に螺合されることにより、保持具３４の保持溝３５内にサイドパネル３０の前後の側端縁を嵌合した状態で、天板２の上面に保持具３５をネジにて簡単に固定させることができるばかりか、ネジ３９が天板２の上面に露呈することがないので、机１の見栄えが向上する。
【００３１】
更に、保持具３４が角のない丸みを帯びた形状をしていることにより、机１の使用者が、天板２上で作業する際に、天板２上に置かれる書類やノートパソコンなどが、保持具３４に引っ掛り難くなっている。
【００３２】
そして、サイドパネル３０の側端縁が、保持具３４によって保護されるので、机１の使用者が天板２上で作業する際に、サイドパネル３０の側端縁に書類やノートパソコンなどが接触することで起きるサイドパネル３０の側端縁の破損が防止できるようになっている。
【００３３】
また、メインパネル２９及びサイドパネル３０が、透光性を有する材質で構成されていることにより、メインパネル２９及びサイドパネル３０を透過した光が、天板２上を明るく照らすため、メインパネル２９及びサイドパネル３０を立設したことによる圧迫感や暗さが解消されるようになっている。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例では、支持部材としての保持具３４の保持溝３５に形成された凸部３７が、１つのみであったが、本発明はこれに限定されるものではなく、複数の凸部３７が、保持溝３５内に形成されていても上記実施例と同様な効果を得ることが可能である。
【００３６】
また、上記実施例では、保持具３４の保持溝３５内に凸部３７を形成し、サイドパネル３０の側端縁に凹部３６を形成することで、保持具３４とサイドパネル３０を互いに嵌合させていたが、本発明はこれに限定されるものではなく、保持具３４の保持溝３５内に凹部を形成し、サイドパネル３０の側端縁に凸部を形成することで、保持具３４とサイドパネル３０を互いに嵌合させるようにしてもよい。
【図面の簡単な説明】
【００３７】
【図１】本発明を適用した机の斜視図である。
【図２】机の分解斜視図である。
【図３】ベース部材取付部の縦断側面図である。
【図４】図３のIV−IV線に沿う横断平面図である。
【図５】図１のＶ−Ｖ線の縦断側面図である。
【図６】保持具取付部の縦断側面図である。
【図７】図６のVII−VII線に沿う平面図である。
【図８】図６のVIII−VIII線に沿う正面図である。
【符号の説明】
【００３８】
１            机
２            天板
３            脚柱
４            ベース部材
５            支柱
６            雌ネジ孔
７            下向突部
８            通孔
９            ワッシャ
１０          ネジ
１１          凹条溝
１２          カバー
１３          通孔
１４          ネジ
１５          雌ネジ孔
１６          キャップ部材
１７、１８    配線孔
１９          横連結杆
２０          スペーサ
２１          ネジ
２２、２３    係止片
２４          嵌合溝
２５          凹溝
２６          保持溝
２７          当接片
２８          保持部材
２９          メインパネル（メイン仕切板）
３０          サイドパネル（サイド仕切板）
３１、３２    凹溝
３３          切欠凹部
３４          保持具（支持部材）
３５          保持溝（溝部）
３６          凹部
３７          凸部
３８          雌ネジ孔
３９          ネジ
４０          照明器具
４１          挿通孔
４３          電源コード
【図１】
2005131200.tif 000003
【図２】
2005131200.tif 000004
【図３】
2005131200.tif 000005
【図４】
2005131200.tif 000006
【図５】
2005131200.tif 000007
【図６】
2005131200.tif 000008
【図７】
2005131200.tif 000009
【図８】
2005131200.tif 000010